(57)【要約】【課題】  遊技者において、誤操作を回避しつつ、容易に設定操作が可能な音量調整スイッチを提供する。【解決手段】  遊技機の遊技盤５の背面側に、装着台２０を固定し、サブ制御基板ボックス１１１を装着する。サブ制御基板ボックス１１１には、主制御基板ボックス１３１を回動可能に装着する。サブ制御基板ボックス１１１の下側には、下方に開口している凹部１１４を設け、節度感を持ってスライドする音量調整スイッチ１１３を取り付ける。主制御基板ボックス１３１が閉じている時は、音量調整スイッチ１１３が隠れるため、誤操作が回避される。主制御基板ボックス１３１を開けば、音量調整スイッチ１１３を容易に操作することができる。凹部１１４が下側に開口しているため、主制御基板ボックス１３１を閉じたままでも、下方から手指を挿入して、音量調整スイッチ１１３を操作することも可能である。【選択図】  図５
2007244520.tif 000002
【特許請求の範囲】
【請求項１】
発射機によって打ち出された遊技球を所定の入賞口に入賞させる遊技に用いる遊技機であって、
直立して配置された遊技盤と、
遊技中に音声出力を含む演出を制御するサブ制御基板を収納したサブ制御基板ボックスと、
前記サブ制御基板にコマンドを出力しながら全体の制御を司る主制御基板を収納した主制御基板ボックスとを有し、
前記サブ制御基板には、音量を調整するための音量調整スイッチが基板表面に突出して設けられており、
前記サブ制御基板ボックスは、前記音量調整スイッチが露出する形状をなしており、
前記サブ制御基板ボックスおよび主制御基板ボックスは、前記遊技盤の遊技面の裏側から見た場合に、基板の表面を手前側にして、奥にサブ制御基板ボックス、手前に主制御基板ボックスとなるよう重ねて配置されており、
前記主制御基板ボックスは、前記音量調整スイッチを覆う形状をなすとともに、前記遊技機に取り付けた状態で、前記サブ制御基板ボックスに対して相対的に回動可能に取り付けられており、該回動の可動範囲は、該主制御基板ボックスを開いた状態で前記音量調整スイッチを視認しながら操作可能な範囲となっている遊技機。
【請求項２】
発射機によって打ち出された遊技球を所定の入賞口に入賞させる遊技に用いる遊技機であって、
直立して配置された遊技盤と、
遊技中に音声出力を含む演出を制御するサブ制御基板を収納したサブ制御基板ボックスと、
前記サブ制御基板にコマンドを出力しながら全体の制御を司る主制御基板を収納した主制御基板ボックスとを有し、
前記サブ制御基板には、周辺近傍に音量を調整するための音量調整スイッチが基板表面に突出して設けられており、
前記サブ制御基板ボックスは、前記音量調整スイッチが露出する形状をなしており、
前記サブ制御基板ボックスおよび主制御基板ボックスは、前記遊技盤の遊技面の裏側から見た場合に、基板の表面を手前側にして、奥にサブ制御基板ボックス、手前に主制御基板ボックスとなるよう重ねて配置されており、
前記主制御基板ボックスおよびサブ制御基板ボックスの少なくとも一方は、該主制御基板ボックスとサブ制御基板ボックスとを重ねた状態で、前記音量調整スイッチの周辺に、該音量調整スイッチを操作可能な大きさで外方に開口する空隙を形成する凹部を有する形状をなしている遊技機。
【請求項３】
請求項２記載の遊技機であって、
前記音量調整スイッチは、節度感のあるスイッチである遊技機。
【請求項４】
請求項３記載の遊技機であって、
前記音量調整スイッチは、スライド式のスイッチである遊技機。
【請求項５】
請求項２〜４いずれか記載の遊技機であって、
前記サブ制御基板ボックスは、前記音量調整スイッチの背面側に少なくとも一本の手指で該サブ制御基板ボックスを支持可能な間隙を設けて取り付けられている遊技機。
【請求項６】
請求項１〜５いずれか記載の遊技機であって、
所定条件下で開口する可動片を備える少なくとも一つの可変入賞装置または演出用の表示パネルを備え、
前記サブ制御基板ボックスの上下方向の寸法は主制御基板ボックスの上下方向の寸法よりも小さく、
前記サブ制御基板ボックスおよび主制御基板ボックスは、下側の辺をそろえて配置されており、
前記主制御基板ボックスに覆われた部分のうち、前記サブ制御基板ボックスの上方の間隙に、前記可変入賞装置または前記表示パネルの一部が配置される遊技機。
【発明の詳細な説明】
【技術分野】
【０００１】
本発明は、パチンコ機などの遊技機において、遊戯中に出力される音量を調整するための音量調整スイッチの構造に関する。
【背景技術】
【０００２】
パチンコ機などの遊技機は、遊技中に音楽や音声を出力する演出を行う。遊技機は、この音声出力の音量を調整するための機構を備えている。パチンコ機には、全体の制御を司る主制御基板の他、これらの演出を制御するためのサブ制御基板が備えられており、音量を調整するための機構は、このサブ制御基板に設けられている。特許文献１は、サブ制御基板上に、スライド式のスイッチと、回転式の音量調整摘みとを設け、これらのスイッチの組み合わせで広い範囲で音量の微調整が可能な遊技機を開示している。
【０００３】
遊技機の音量調整は、ユーザが調整するものではなく、遊技機が設置されたホールの係員によって行われる。遊技機は遊技面を備えた内枠等が開閉可能となっているため、係員は、この内枠を開けて、サブ制御基板に備えられたスイッチを操作して、音量を調整することができる。上述の主制御基板とサブ制御基板は重ね合わせられ、内枠を開けた時、サブ制御基板が主制御基板の陰に隠れるように配置されるのが通常である。特許文献１では、この状態でも音量調整が可能となるよう、音量調整スイッチが主制御基板の陰に隠れないように、スイッチの位置、および主制御基板とサブ制御基板の配置が決められている。
【０００４】
【特許文献１】特開２００４−２５５０５９号公報
【発明の開示】
【発明が解決しようとする課題】
【０００５】
音量調整は、頻繁に行われるものではなく、遊技機をホールに設置する際に音量調整を行った後は、不要となるのが通常である。遊技中に異常が生じた場合などには、異常への対処として、係員は内枠を開けることがあるが、この場合でも、音量調整スイッチを操作する必要性はない。しかしながら、特許文献１記載の構造では、異常への対処時に係員の手が音量調整スイッチに触れたり引っかかったりして誤って音量調整を変えてしまうおそれがある。誤って音量調整が変更された場合には、係員は、特許文献１では本来不要であるはずの音量調整を改めて行う必要が生じる。
【０００６】
また、遊技機は、複数の同機種をまとめてホールに設置するのが通常である。このような場合には、複数台の音量調整を行う必要がある。同機種であれば、音量調整スイッチの設定は、ほぼ同一となるはずであるから、音量調整スイッチは、同一の設定を簡易に実現できる構造となっていることが好ましい。
【０００７】
従来技術では、音量調整のし易さという、遊技機の音量調整スイッチとしてはそれほど重要ではない要素が重視されており、逆に、誤って操作してしまうおそれや、複数台を簡易に同一の設定とするための構造という要素が軽視されていた。上述の通り、遊技機の音量調整スイッチに要求されるべきは後者である。本発明は、遊技機の音量調整スイッチに対して本来重視されるべき要素を考慮したスイッチ構造を提供することを目的とする。
【課題を解決するための手段】
【０００８】
本発明は、発射機によって打ち出された遊技球を所定の入賞口に入賞させる遊技に用いる遊技機、例えばパチンコ機を対象とする。この遊技機は、直立して配置された遊技盤と、遊技中に音声出力を含む演出を制御するサブ制御基板と、サブ制御基板にコマンドを出力しながら全体の制御を司る主制御基板とを備えている。サブ制御基板は、サブ制御基板ボックスに収納され、主制御基板は主制御基板ボックスに収納されている。遊技機には、賞球の払出を制御する払出制御基板、およびこれを収納する払出制御基板ボックスを備えても良い。
【０００９】
遊技機のサブ制御基板には、音量を調整するための音量調整スイッチが、設けられている。音量調整スイッチには、摘み、スライド式のスイッチ、押しボタン式のスイッチなど種々の型のスイッチを適用可能である。これらのスイッチは、操作部分、即ち摘み、スライド部材、押しボタンなどを、それぞれ基板表面に突出した状態で設けられる。音量調整スイッチの操作部分は、サブ制御基板ボックスからも露出しており、外部から操作可能となっている。このサブ制御基板ボックスおよび主制御基板ボックスは、遊技盤の遊技面の裏側から見た場合に、基板の表面を手前側にして、奥にサブ制御基板ボックス、手前に主制御基板ボックスとなるよう重ねて配置される。主制御基板ボックスは、音量調整スイッチを覆う形状をなしている。音量調整スイッチは、サブ制御基板ボックスの基板表面に突出して設けられているから、音量調整スイッチは主制御基板ボックスの陰に隠れることになり、このままでは容易には操作できない状態となっている。
【００１０】
ただし、主制御基板ボックスは、遊技機に取り付けた状態で、サブ制御基板ボックスに対して相対的に回動可能に取り付けられる。この回動の可動範囲は、主制御基板ボックスを開いた状態で音量調整スイッチを視認しながら操作可能な範囲となっている。つまり、係員は、必要に応じて主制御基板ボックスを開ければ、音量調整スイッチを視認しながら調整することができる。本発明の構造によれば、主制御基板ボックスを閉じている時には、音量調整スイッチが主制御基板ボックスで隠されているため、音量調整スイッチに対する誤操作を回避できる。
【００１１】
音量調整スイッチは、サブ制御基板の任意の場所に取付可能であるが、中央付近よりも周辺近傍に取り付けることが好ましい。中央付近では、主制御基板ボックスを開かないと音量調整スイッチを操作し得ないのに対し、周辺近傍の場合には、主制御基板ボックスの周辺から手指を挿入することにより、主制御基板ボックスを開くまでなく操作することが可能となるからである。特に、音量調整スイッチは、サブ制御基板の下側の辺の近傍に取り付けることが好ましい。主制御基板ボックスが開閉するヒンジ機構が設けられている場合には、ヒンジ機構に対向する側辺の近傍に取り付けても良い。遊技機における各基板その他の構成部品の配置上、サブ制御基板の下側または側方であれば、手指を挿入して音量調整スイッチを調整できるだけの空隙を設けられる可能性が高いからである。この場合、手指を挿入しての調整を可能とするため、主制御基板ボックスおよびサブ制御基板ボックスの少なくとも一方は、主制御基板ボックスとサブ制御基板ボックスとを重ねた状態で、音量調整スイッチの周辺に、音量調整スイッチを操作可能な大きさで外方に開口する空隙を形成する凹部を有する形状とすることが好ましい。スイッチが下側の辺や側辺近傍に設けられている場合には、それぞれ下方または側方に開口させればよい。こうすることにより、この空隙に手指を挿入して音量調整スイッチを操作することが可能となる。空隙は、スイッチの操作が可能な大きさとすることが必要であり、スイッチの形式や大きさに応じて設定することができる。
【００１２】
本発明の音量調整スイッチは、節度感のあるスイッチとすることが好ましい。こうすることにより、音量調整スイッチを視認できない場合でも、容易に所定の状態に設定できる。従って、同機種の複数台の遊技機の音量調整スイッチの設定を行う場合の作業負荷を軽減することができる。節度感のあるスイッチを利用する場合には、操作性の観点から、スライド式のスイッチが好ましい。
【００１３】
本発明において、サブ制御基板ボックスは、音量調整スイッチの背面側に少なくとも一本の手指でサブ制御基板ボックスを支持可能な間隙を設けて取り付けることが好ましい。こうすることで、サブ制御基板ボックスを挟むようにして、手指を安定させ、音量調整スイッチを容易に操作することが可能となる。
【００１４】
遊技機には、所定条件下で開口する可動片を備える少なくとも一つの可変入賞装置または演出用の表示パネルを備えてもよい。この場合、サブ制御基板ボックスの上下方向の寸法は主制御基板ボックスの上下方向の寸法よりも小さくすることが好ましい。この形状で、サブ制御基板ボックスおよび主制御基板ボックスを下側の辺をそろえて配置すれば、主制御基板ボックスに覆われた部分のうち、サブ制御基板ボックスの上方に間隙ができ、ここに可変入賞装置または表示パネルの一部を配置することが可能となる。従って、装置内のスペースを有効活用して、各構成部品を配置することができるとともに、可変入賞装置または表示パネルの大型化を図ることができる。この構造においては、更に、払出制御基板ボックスを、主制御基板ボックスおよびサブ制御基板ボックスの下側に配置することが好ましい。
【００１５】
本発明においては、必ずしも上述した全ての特徴が備えられている必要はなく、上述の特徴の一部を省略してもよいし、適宜、組み合わせて適用してもよい。
【発明を実施するための最良の形態】
【００１６】
本発明の一実施形態であるパチンコ遊技機（以下、単に「パチンコ機」という）について以下の順序で説明する。
Ａ．全体構成：
Ｂ．遊技領域の構造：
Ｃ．背面構造：
Ｄ．基板ボックス構造：
【００１７】
Ａ．全体構成：
図１は実施例としてのパチンコ機１の全体構成を示す斜視図である。外枠２、本体枠３、前面枠４を開いた状態を示した。図の煩雑化を回避するため、遊技領域の装飾部材は図示を省略した。外枠２、本体枠３、前面枠４は、ヒンジ機構７、３６によって、開閉可能に連結されている。
【００１８】
外枠２は、上下左右の木製の枠材によって縦長四角形の枠状に形成されている。外枠２は、樹脂やアルミニウム等の軽金属によって形成してもよい。外枠２の前側下部には、本体枠３の下面を受ける下受板６が設けられている。
【００１９】
本体枠３は、下受板６の上側にはまる形状となっている。本体枠３の外形を規定する前枠体１１は、合成樹脂材製の矩形枠である。前枠体１１の前下部左側にはスピーカ装着板１７およびスピーカ１８が装着されている。下部には、遊技球の発射レール１９が傾斜して装着されている。前枠体１１の下には下部前面板３０が装着されている。下部前面板３０の略中央部には、遊技球を貯留する下皿３１が設けられ、右側には操作ハンドル３２が設けられ、左側寄りには灰皿３３が設けられている。下皿３１には、遊技球を下方に排出するための球排出レバー３４が配設されている。
【００２０】
本体枠３には、遊技盤５が取り付けられている。遊技盤５は、本体枠３に前方から嵌込み可能な四角板状をなしている。遊技盤５の前面（以下、「盤面」と呼ぶこともある）には、遊技球をガイドする外レール７６、内レール７７を備えた案内レール７８が設けられている。案内レールの内側が遊技領域３７となる。発射レール１９と案内レール７８との間には、発射時の勢いが不十分で案内レール７８を逆戻りしてきた遊技球を下皿３１に排出するための隙間が設けられている。
【００２１】
前面枠４はヒンジ機構３６によって開閉可能に装着されている。前面枠４には、遊技盤５の遊技領域３７に合わせて略円形の開口窓３８が形成されている。前面枠４の後側には開口窓３８よりも大きな矩形の窓枠３９が設けられ、ガラス板、透明樹脂板等の透明板５０が装着されている。
【００２２】
前枠体１１の自由端側には、外枠２、本体枠３、前面枠４を閉状態で施錠するための施錠装置７０が装着されている。施錠装置７０の本体枠施錠フック７２は、外枠２の閉止具７１に係合することで、外枠２と本体枠３とを施錠する。扉施錠フック７４は、前面枠４の閉止具７３と係合して、前面枠４と本体枠３とを施錠する。これらの施錠および解錠は、シリンダー錠７５の鍵操作で可能である。
【００２３】
Ｂ．遊技領域の構造：
図２は遊技領域３７の構成を示す拡大正面図である。遊技領域３７内には適宜位置に風車９０が設けられている。多数の障害釘もゲージ配列されているが、図示を省略した。遊技領域３７のほぼ中央には、可変入賞装置９１が設けられている。
【００２４】
可変入賞装置９１は額縁状の装飾体を有し、その上縁部または左右側縁部には、遊技盤５に沿って流下する遊技球を可変入賞装置９１の裏側に取り込んだ後に、可変入賞装置９１の途中または下縁部から再び遊技盤面に放出するための通路（以下、「ワープ通路」と称する）が設けられている。
【００２５】
可変入賞装置９１の上方には、可変入賞装置内に遊技球を取り込むための役物用入賞口９２が開閉可能に備えられている。可変入賞装置９１の内部中央には、揺動可能な第一転動演出装置９５が備えられている。役物用入賞口９２から取り込まれた遊技球は、第一転動演出装置９５の揺動に応じて図中左右いずれかの方向に転動し、右端または左端から放出される。
【００２６】
第一転動演出装置９５の右端には、大当り入賞口９３又はハズレ入賞口９４、および回転しながら遊技球をこれらの入賞口９３、９４の何れかに導く第三転動演出装置１０１が備えられている。第一転動演出装置９５の左端には、遊技球を図中右方向に向かって押打する第二転動演出装置１００が設けられ、第一転動演出装置９５の下側には、押打された遊技球を第三転動演出装置１０１に案内するための第四転動演出装置１０２が備えられている。
【００２７】
可変入賞装置９１の内側には演出表示装置１１５が配設されている。演出表示装置１１５には、動画等の画像、或いは可動部材の動作等による演出表示が行われる。演出表示装置１１５としては、液晶表示装置、ＥＬ表示装置、プラズマ表示装置、及びＣＲＴ等を用いることができる。
【００２８】
可変入賞装置９１の下方には、第二始動入賞口９７と、その左右に配置された一対の第一始動入賞口９６、一般入賞口９８が設けられている。第一始動入賞口９６に遊技球が入球すると役物用入賞口９２は、所定間隔で一回開閉動作する。第二始動入賞口９７に遊技球が入球すると役物用入賞口９２は、所定間隔で二回開閉動作する。
【００２９】
Ｃ．背面構造：
図３はパチンコ機１の背面構造を示す説明図である。合成樹脂製の本体枠３には、遊技盤装着枠９および機構装着枠１０が一体成型されている。機構装着枠１０の上側には、遊技球を蓄えておき、遊技機内に供給するための球タンク４１Ｔが装着されている。球タンク４１Ｔには、傾斜したタンクレール４１が装着されており、遊技球は、タンクレール４１を転がって、払出装置４０に供給される。タンクレール４１の右側には、遊技機からホールコンピュータに種々の情報を送信するための外端板４５が装着されている。
【００３０】
タンクレール４１の下方は、先に説明した可変入賞装置９１が設けられている。タンクレール４１から落下した遊技球でショートが起きたりしないよう、可変入賞装置９１の背面には、半透明の合成樹脂製の後カバー４２が取り付けられている。後カバーの下方には、主制御基板１３０を収納した主制御基板ボックス１３１が配置されている。主制御基板１３０には、検査時に基板検査装置のコネクタを差し込むための検査用コネクタ１０４が露出して取り付けられている。
【００３１】
主制御基板ボックス１３１の陰には、サブ制御基板１１０を収納するサブ制御基板ボックス１１１が配置されている。サブ制御基板１１０は、遊技中の音声、映像の出力による演出を制御するための制御基板である。サブ制御基板１１０は、遊技盤装着枠９に取り付けられたボックス装着台２０に装着されている。
【００３２】
主制御基板ボックス１３１の下方には、払出制御基板１０５を収納した払出制御基板ボックス１０６が配置されている。また、主制御基板ボックス１３１の斜め下には、インタフェース基板１０７を収納したインタフェース基板ボックス１０８が配置されている。インタフェース基板１０７とは、外部に設けられた球貸機と払出制御基板１０５とを接続するためのインタフェースを提供する基板である。遊技盤装着枠９の下方には、遊技球を発射するための発射ハンマーを駆動する発射モータ４３を備えた発射装置４４が装着されている。
【００３３】
後述する通り、本実施例では、サブ制御基板１１０に音量を調整するための音量調整スイッチが設けられている。背面構成（図４）で示す通り、サブ制御基板１１０は、その大部分が主制御基板１３０によって覆われており、この状態では、音量調整スイッチを調整することは困難である。以下では、音量調整スイッチの周辺構造について、詳細に説明をする。
【００３４】
図４は遊技盤５の背面構造を示す斜視図である。サブ制御基板ボックス１１１、主制御基板ボックス１３１の取付状態を分かりやすく示すため、可変入賞装置９１等は省略した状態で示した。説明の便宜上、以下では、遊技領域となる正面方向を奥と呼び、背面側を手前と呼ぶこともある。
【００３５】
図示する通り、遊技盤５の背面には、背面に突出するボックス装着台２０が固定されている。サブ制御基板ボックス１１１は、この装着台２０に図中矢印Ａに示すように、手前側に回動可能に取り付けられる。主制御基板ボックス１３１は、サブ制御基板ボックス１１１に回動可能に装着されている。回動可能とするための機構については、後述する。
【００３６】
本実施例のサブ制御基板ボックス１１１の高さは、主制御基板ボックス１３１よりも低い。両者は、下側の辺をそろえて配置されているため、サブ制御基板ボックス１１１の上方には、遊技盤５と主制御基板ボックス１３１との間に、図示する空間ＳＰができる。本実施例では、先に図３で示したように、この空間ＳＰに可変入賞装置９１の一部が収納される。可変入賞装置９１に代えて、演出用の表示パネルの一部を収納するようにしてもよい。いずれにしても、サブ制御基板ボックス１１１の上方に空間を形成するように、サブ制御基板ボックス１１１と主制御基板ボックス１３１の形状および配置を決定することにより、遊技盤の中央に配置されるべき可変入賞装置９１や表示パネルのサイズを大型化することができる。
【００３７】
Ｄ．基板ボックス構造：
図５は主制御基板ボックス１３１、サブ制御基板ボックス１１１の構造を示す説明図である。図の上段の斜視図に示す通り、主制御基板ボックス１３１は、サブ制御基板ボックス１１１に対して矢印Ｂの方向に開くことができる。サブ制御基板ボックス１０３の下方には、音量調整スイッチ１１３が設けられている。主制御基板ボックス１３１を開くと、音量調整スイッチ１１３を視認することが可能となる。
【００３８】
サブ制御基板ボックス１１１には、音量調整スイッチ１１３の周辺に凹部１１４が形成されている。従って、主制御基板ボックス１３１は、閉じた状態でも、音量調整スイッチ１１３と干渉しない。また、凹部１１４は下方に開口しているため、主制御基板ボックス１３１を閉じた状態でも、凹部１１４の下側から手指を挿入して音量調整スイッチ１１３を操作することは可能である。
【００３９】
主制御基板ボックス１３１を閉じると、図の中段に示す状態となる。サブ制御基板１１０には、図中の左側に上下２カ所に、下側に向けて突起１１２が形成されている。この突起１１２が、遊技盤５に固定された装着台２０の手前に設けられた装着孔２０Ｈに挿入されることにより、サブ制御基板ボックス１１１は主制御基板ボックス１３１と共に、装着台２０に回動可能に取り付けられる。装着台２０は遊技盤５よりも所定距離ｄだけ手前にサブ制御基板ボックス１１１を保持する形状となっている。従って、装着台２０に取り付けた状態で、サブ制御基板ボックス１１１の奥には、所定距離ｄに応じた空隙が形成される。この空隙によって、係員は、サブ制御基板ボックス１１１を指で挟むようにしながら音量調整スイッチ１１３を操作することが可能となる。所定距離ｄは任意に設定可能であるが、手指で挟めるようにするため、少なくとも指が一本挿入できる程度の空隙を形成できる寸法とすることが好ましい。
【００４０】
図６はサブ制御基板１１１の裏の空隙を示す説明図である。図６（ａ）には、遊技盤５の背面図を示し、図６（ｂ）にはＩ−Ｉ断面図を示した。サブ制御基板１１１は装着台２０によって遊技盤５の背面から距離ｄだけ離れて保持されている。また、サブ制御基板１１１の高さが主制御基板１３１よりも低くなっているため、遊技盤５の背面側に可変入賞装置等を配置するための空間ＳＰが効率的に形成されている。
【００４１】
図６（ｃ）には、サブ制御基板１１１の下部（図６（ｂ）の円で示した部分）の拡大図を示した。音量調整スイッチ１１３が取り付けられている断面においては、サブ制御基板１１１の下辺は装着台２０の下辺よりも下側に位置している。従って、図示するように音量調整スイッチ１１３の真裏に手指を挿入可能な空隙が形成される。このため、係員はサブ制御基板１１１の背面を手指で支持することで、音量調整スイッチ１１３を手指で挟むようにしながら、安定して操作することが可能となっている。
【００４２】
図７はサブ制御基板ボックス１１１の形状を示す説明図である。図７（ａ）は正面図を示し、図７（ｂ）は底面図を示している。図示する通り、サブ制御基板ボックス１１１の左側には上下に突起１１２Ｕ、１１１Ｌが形成されている（両者を「突起１１２」と総称する）。この突起１１２は、図５で示した通り、装着台２０の装着孔２０Ｈに挿入することができる。
【００４３】
突起１１２Ｕ、１１１Ｌの右側には、手前方向、即ち紙面表方向に突出して上下に装着孔１１７Ｕ、１１７Ｌ（両者を「装着孔１１７」と総称する）が設けられている。装着孔１１７は、主制御基板ボックス１３１に形成された突起を受けるための部材である。主制御基板ボックス１３１の突起をこの装着孔１１７に挿入することによって、主制御基板ボックス１３１はサブ制御基板１１０に対して相対的に回動可能に装着される。
【００４４】
サブ制御基板１１０の右下には、音量調整スイッチ１１３が設けられている。本実施例では、音量調整スイッチ１１３は、大中小の３段階の位置に節度感を持って、左右にスライドするスイッチとした。節度感があるため、係員は手探りの状態でも、音量調整スイッチ１１３を大中小いずれかの位置に容易に設定することが可能である。音量調整スイッチ１１３は、節度感のあるスライド式のスイッチに限定する必要はなく、連続的に移動可能なスライド式のスイッチとしてもよいし、摘み、押しボタンなどを用いても良い。
【００４５】
音量調整スイッチ１１３の周辺には、凹部１１４が形成されている。凹部１１４の幅ｗは約２８ｍｍ、高さｈは約１０ｍｍとした。サブ制御基板ボックス１１１の厚さｔは約２５ｍｍであり、手前面から音量調整スイッチ１１３までの深さｄｓは約９ｍｍである。凹部１１４が存在することにより、音量調整スイッチ１１３の周囲には、主制御基板ボックス１３１が閉じた状態でも、上述の寸法に相当する空隙が確保される。従って、係員は、サブ制御基板ボックス１０３の下側から手指を挿入して音量調整スイッチ１１３を操作することが可能である。凹部１１４の寸法は任意に設定可能であるが、音量調整スイッチ１１３のタイプ、大きさに応じて、このような操作ができる程度の寸法としておくことが好ましい。
【００４６】
図８は主制御基板ボックス１３１を装着した状態でのサブ制御基板を示す説明図である。図８（ａ）に正面図を示し、図８（ｂ）にII−II断面図を示した。サブ制御基板ボックス１１１の高さＨｓは、主制御基板ボックス１３１の高さＨｍよりも低い。この高さの差違によって、サブ制御基板ボックス１１１に主制御基板ボックス１３１を重ねて装着すると、先に図４に示した空間ＳＰが形成される。
【００４７】
図８（ｂ）に示すように、主制御基板ボックス１３１の左側には突起１３３が形成されており、これがサブ制御基板ボックス１１１の装着孔１１７（図７も参照）に挿入されることで、主制御基板ボックス１３１は回動可能となっている。また、右下の拡大図に示すように、音量調整スイッチ１１３と主制御基板ボックス１３１との間には、主制御基板ボックス１３１を閉じた状態でも、凹部１１４によって、深さｄｓの空隙が形成されるため、この空隙を利用して、音量調整スイッチ１１３を矢印ＳＤ方向に移動させることが可能である。
【００４８】
以上で説明した実施例の構造によれば、主制御基板ボックス１３１を閉じた状態では、音量調整スイッチ１１３は主制御基板ボックス１３１の陰に隠れている。従って、係員が外枠を開いて遊技機の異常に対処している時に誤って音量調整スイッチ１１３を操作するなどの弊害を回避することができる。
【００４９】
主制御基板ボックス１３１を開けば、音量調整スイッチ１１３を視認することができるため、係員は容易にその設定を行うことができる。また、音量調整スイッチ１１３は主制御基板１３０を閉じたままでも、下方から手指を挿入することで操作可能となっているため、複数台の同一機種をまとめて設定する場合には、主制御基板ボックス１３１を各台ごとに開くまでなく、手探りで容易に同一の設定とすることができる。
【００５０】
以上、本発明の種々の実施例について説明したが、本発明はこれらの実施例に限定されず、その趣旨を逸脱しない範囲で種々の構成を採ることができることはいうまでもない。
【図面の簡単な説明】
【００５１】
【図１】実施例としてのパチンコ機１の全体構成を示す斜視図である。
【図２】遊技領域３７の構成を示す拡大正面図である。
【図３】パチンコ機１の背面構造を示す説明図である。
【図４】遊技盤５の背面構造を示す斜視図である。
【図５】主制御基板ボックス１３１、サブ制御基板ボックス１１１の構造を示す説明図である。
【図６】サブ制御基板１１１の裏の空隙を示す説明図である。
【図７】サブ制御基板ボックス１１１の形状を示す説明図である。
【図８】主制御基板ボックス１３１を装着した状態でのサブ制御基板を示す説明図である。
【符号の説明】
【００５２】
１…パチンコ機
２…外枠
３…本体枠
４…前面枠
５…遊技盤
６…下受板
７…ヒンジ機構
９…遊技盤装着枠
１０…機構装着枠
１１…前枠体
１７…スピーカ装着板
１８…スピーカ
１９…発射レール
２０…ボックス装着台
２０Ｈ…装着孔
３０…下部前面板
３１…下皿
３２…操作ハンドル
３３…灰皿
３４…球排出レバー
３６…ヒンジ機構
３７…遊技領域
３８…開口窓
３９…窓枠
４０…払出装置
４１…タンクレール
４１Ｔ…球タンク
４２…後カバー
４３…発射モータ
４４…発射装置
４５…外端板
５０…透明板
７０…施錠装置
７１…閉止具
７２…本体枠施錠フック
７３…閉止具
７４…扉施錠フック
７５…シリンダー錠
７６…外レール
７７…内レール
７８…案内レール
９０…風車
９１…可変入賞装置
９２…役物用入賞口
９３…入賞口
９４…ハズレ入賞口
９５…第一転動演出装置
９６…第一始動入賞口
９７…第二始動入賞口
９８…一般入賞口
１００…第二転動演出装置
１０１…第三転動演出装置
１０２…第四転動演出装置
１０４…検査用コネクタ
１０５…払出制御基板
１０６…払出制御基板ボックス
１０７…インタフェース基板
１０８…インタフェース基板ボックス
１１０…サブ制御基板
１１１…サブ制御基板ボックス
１１２…突起
１１２Ｕ…突起
１１３…音量調整スイッチ
１１４…凹部
１１５…演出表示装置
１１７、１１７Ｕ、１１７Ｌ…装着孔
１３０…主制御基板
１３１…主制御基板ボックス
１３３…突起  
【図１】
2007244520.tif 000003
【図２】
2007244520.tif 000004
【図３】
2007244520.tif 000005
【図４】
2007244520.tif 000006
【図５】
2007244520.tif 000007
【図６】
2007244520.tif 000008
【図７】
2007244520.tif 000009
【図８】
2007244520.tif 000010